(57)【特許請求の範囲】
【請求項１】
ロール状に巻かれた感光材料を支持する支持軸と、この支持軸に着脱可能な一対のガイド体とを備え、ガイド体に設けた嵌合部を、支持軸の外周面に複数形成した周方向に延びる被嵌合部に嵌合させることで、ガイド体を支持軸に取り付け、このガイド体により、感光材料の幅方向両端を受け止めて支持軸に対する感光材料の支持位置を規制するようにした感光材料用リールにおいて、前記被嵌合部中の任意の被嵌合部とその被嵌合部に隣接する被嵌合部を、支持軸の外周面におけるその全周の一部で、且つ支持軸の軸心を中心とした対称位置に形成すると共に、任意の被嵌合部に隣接する被嵌合部を前記任意の被嵌合部に対し周方向に変位した位置に形成して、任意の被嵌合部に隣接する被嵌合部が前記任意の被嵌合部に対して支持軸の軸方向で対向しないようにしたことを特徴とする感光材料用リール。
【発明の詳細な説明】
【０００１】
【発明の属する技術分野】
本発明は、ロール状に巻かれた印画紙などの感光材料がセット可能な感光材料用リールに関する。
【０００２】
【従来の技術】
一般にこの種のリールが搭載される写真処理装置は、ペーパーマガジンの装填部と、印画紙を搬送する搬送部と、画像を印画紙に焼き付けるための焼付処理部とを備えて成り、ロール状に巻かれた印画紙（以下、印画紙巻と云う）をリールにセットして、このリールを印画紙巻と共にペーパーマガジン内に搭載した後、このペーパーマガジンをマガジン装填部に装填し、ペーパーマガジンのペーパー搬出口から引き出される印画紙を搬送部により搬送しながら、その感光面に焼付処理部で画像を焼き付けるようにしている。
【０００３】
一方、印画紙巻がセットされるリールは、印画紙巻を支持する支持軸と、この支持軸に支持した印画紙巻の幅方向両端を受け止めて、支持軸に対する印画紙巻の支持位置を規制する左右一対の第１、第２ガイド体とを備え、支持軸の長さ方向両端部の外周面に、セットする複数種類の印画紙巻の幅寸法に対応した環状の嵌合溝を複数形成すると共に、ガイド体には、支持軸の嵌合溝に嵌合可能な嵌合突部を有するガイド止め板を装着している。
【０００４】
そして以上のリールにあっては、第１ガイド体におけるガイド止め板の嵌合突部を、セットする印画紙巻の幅に対応した支持軸における長さ方向一端側の所定の嵌合溝に嵌合させて、第１ガイド体を支持軸の長さ方向一端側に取り付けた上で、支持軸の長さ方向他端側から印画紙巻をこの支持軸に挿通し、しかる後、第２ガイド体におけるガイド止め板の嵌合突部を、支持軸に支持した印画紙巻の幅に対応する支持軸における長さ方向他端側の所定の嵌合溝に嵌合させて、第２ガイド体を支持軸の長さ方向他端側に取り付け、これら両ガイド体で印画紙巻の幅方向両端を受け止めて、印画紙巻を所定位置に保持するようにしている。
【０００５】
【発明が解決しようとする課題】
ところで、以上のリールには、幅寸法の異なる多数の種類の印画紙巻がセットされるのであって、これら多数の種類の印画紙巻中、その幅寸法が例えば１１４ミリ、１１７ミリの２種類のものをリールにセットするに際して前述のガイド体を支持軸の所定位置に取り付けるのに用いる嵌合溝にあっては、支持軸のセンターから軸方向外方に向かって５７ミリと５８．５ミリずれた位置にそれぞれ設けねばならない。しかしながらこれら嵌合溝の溝幅は、嵌合突部の肉厚との関係から１・５ミリ程度は確保する必要がある。
【０００６】
そのため、支持軸のセンターから５７ミリと、５８．５ミリの位置にそれぞれ前記した溝幅の嵌合溝を形成した場合には、両嵌合溝が連なってしまって、両嵌合溝をそれぞれ独立した状態で設けることは現実的には不可能である。
【０００７】
したがって従来では、支持軸の外周面には、１１４ミリと１１７ミリ幅の２種類印画紙巻に兼用の嵌合溝を所定位置に形成する一方、ガイド止め板に設ける嵌合突部をクランク状に屈曲させ、支持軸に支持する印画紙巻の幅に応じて、ガイド止め板をガイド体から一旦取り外してガイド体に対する取付姿勢を変更して、ガイド体に対する嵌合突部の配置位置を変更した上で、再度ガイド止め板をガイド体に固定し、しかる後、このガイド板を支持軸に取り付けるようにしているのであって、そのため、従来のリールにあっては、ガイド体の支持軸に対する取付に手間を要すると云う問題がある。
【０００８】
本発明は以上の実情に鑑みて開発したものであって、目的とするところは、幅寸法が非常に近接しているロール状に巻かれた複数種類の感光材料のいずれをセットする場合にあっても、ガイド体を支持軸に迅速に取付けることの出来るリールを提供するにある。
【０００９】
【課題を解決するための手段】
以上の目的を達成するために、請求項１に記載の発明は、ロール状に巻かれた感光材料を支持する支持軸と、この支持軸に着脱可能な一対のガイド体とを備え、ガイド体に設けた嵌合部を、支持軸の外周面に複数形成した周方向に延びる被嵌合部に嵌合させることで、ガイド体を支持軸に取り付け、このガイド体により、感光材料の幅方向両端を受け止めて支持軸に対する感光材料の支持位置を規制するようにした感光材料用リールにおいて、前記被嵌合部中の任意の被嵌合部とその被嵌合部に隣接する被嵌合部を、支持軸の外周面におけるその全周の一部で、且つ支持軸の軸心を中心とした対称位置に形成すると共に、任意の被嵌合部に隣接する被嵌合部を前記任意の被嵌合部に対し周方向に変位した位置に形成して、任意の被嵌合部に隣接する被嵌合部が前記任意の被嵌合部に対して支持軸の軸方向で対向しないようにしたのである。
【００１０】
【発明の実施の形態】
図１は、本発明のリールが搭載される写真処理装置を概略的に示したものであって、この写真処理装置は、装置本体１に、写真感光材料である印画紙に画像等の焼き付けを行う焼付け処理部１ａと、この焼付け処理部１ａで焼き付け処理された印画紙を現像処理する現像処理部１ｂと、該現像処理部１ｂで現像処理された印画紙を乾燥する乾燥処理部１ｃと、乾燥処理された印画紙を排出するプリント排出部１ｄとを備えている。
【００１１】
焼付け処理部１ａには、モニタ１１、光源ランプ１２、露光部１３、本発明にかかるリール３が搭載された２つのペーパーマガジン２が設けられている。
【００１２】
露光部１３は、ライン状の露光ヘッド１４を備え、デジタル画像データに基づいて処理されたデジタル画像を露光ヘッド１４により、搬送中の印画紙にデジタル露光するようにしている。
【００１３】
尚、デジタル露光の方式としては、ＰＬＺＴシャッター方式やレーザービーム方式、液晶シャッター方式、蛍光ビーム方式が知られており、仕様に応じて任意の方式を採択することが出来る。
【００１４】
現像処理部１ｂは、処理槽１５を備えており、処理槽１５の内部は、仕切板でいくつかに区画されており、それぞれの区画内に現像液、漂白定着液、安定化液等の各種処理液が貯溜されている。
【００１５】
乾燥処理部１ｃは、ヒーター１６を備えており、印画紙を搬送させる間に印画紙をヒーター１６によって適宜乾燥するようにしている。そして、乾燥処理部１ｃで乾燥された印画紙は、プリント排出部１ｄに送られ、出口から排出トレイ１７へと排出されるようにしている。
【００１６】
次に本発明にかかるリール３が搭載されるペーパーマガジン２を説明する。
【００１７】
ぺ一パーマガジン２は、略直方体に形成されたマガジン本体２０から成り、このマガジン本体２０は、第１分割体２０ａと第２分割体２０ｂとに二分割されて、これら両分割体２０ａ・２０ｂはその一端でヒンジを介して結合され、このヒンジを支点にして、両分割体２０ａ・２０ｂは開閉可能とされている。
【００１８】
マガジン本体２０の内部には、ロール状に巻回された印画紙巻Ｐが本発明にかかるリール３に支持された状態で収納されるのであって、また印画紙巻Ｐは、その一端をマガジン本体２０のペーパー搬出口２１から外部に引き出し可能になっている。
【００１９】
次にペーパーマガジン２内に搭載するリール３を詳説する。
【００２０】
図において符号３で示すリールは、印画紙巻Ｐが挿通支持される支持軸４と、支持軸４における長さ方向一端側の所定位置に予め取り付けられるベース側の第１ガイド体５と、支持軸４に印画紙巻Ｐを支持した後にこの支持軸４の長さ方向他端側の所定位置に取り付けられる脱着側の第２ガイド体６とを備え、これら両ガイド体５・６により、支持軸４に挿通支持された印画紙巻Ｐの幅方向両端をそれぞれ受け止めて、支持軸４に対する印画紙巻Ｐの支持位置を規制するようにしている。
【００２１】
支持軸４の長さ方向一端側の外周面には、図３にも示すように、第１ガイド体５を組み付けるための複数条の被嵌合部としての嵌合溝４１が周方向に形成されている。
【００２２】
実施形態では、前記した嵌合溝４１中、印画紙巻Ｐの幅寸法が、１１４ミリ、１１７ミリ、１２０ミリの３種類、並びに１２７ミリ、１３０ミリの２種類をそれぞれセットする際に第１ガイド体５を所定の位置に取り付けるのに用いる嵌合溝において、前者の３種類にあっては支持軸４のセンターから軸方向外方に向かって５７ミリ、５８．５ミリ、６０ミリそれぞれずれた位置に、また後者の２種類にあっては、６３．５ミリ、６５ミリそれぞれずれた位置にそれぞれ設けねばならないが、溝幅との関係でこれら溝を隣接して設けることが出来ない。
【００２３】
そのため図に示す実施形態では、図１１にも示すように、前者の３種類の印画紙巻Ｐに対応する嵌合溝中、１１７ミリの印画紙巻に対応する嵌合溝４１ａを、支持軸４の外周面に周方向に９０度にわたってしかも支持軸４の軸心を中心とした対称位置に１組形成すると共に、１１７ミリ用の嵌合溝４１ａに対して９０度周方向に変位した位置に、１１４ミリの印画紙巻Ｐに対応する嵌合溝４１ｂと１２０ミリの印画紙巻Ｐに対応する嵌合溝４１ｃとを周方向に９０度にわたってしかも支持軸４の軸心を中心とした対称位置にそれぞれ１組形成し、１１７ミリ用の嵌合溝４１ａに対して１１４ミリ用嵌合溝４１ｂ及び１２０ミリ用嵌合溝４１ｃが軸方向に対向しないようにしている。
【００２４】
また図１１にも示すように、後者の２種類の印画紙巻Ｐに対応する嵌合溝中、１２７ミリの印画紙巻に対応する嵌合溝４１ｄを、支持軸４の外周面に周方向に９０度にわたってしかも支持軸４の軸心を中心とする対称位置に１組形成すると共に、１２７ミリ用の嵌合溝４１ｄに対して９０度周方向に変位した位置に、１３０ミリの印画紙巻Ｐに対応する嵌合溝４１ｅを周方向に９０度にわたってしかも支持軸４の軸心を中心とする対称位置にそれぞれ１組形成し、１２７ミリ用の嵌合溝４１ｄに対して１３０ミリ用嵌合溝４１ｅが軸方向に対向しないようにしている。
【００２５】
また支持軸４の長さ方向他端側の外周面には、図５に示すように、後記するラチェット爪７１・７２・７３とによりラチェット機構７が構成される８枚のラチェット歯７４を周方向に所定間隔開けて形成すると共に、第２ガイド体６を位置変更自由に組み付けるための位置調整機構Ｎを構成するガイド溝４２を周方向に螺旋状に刻設している。
【００２６】
尚、前述のラチェット機構７は、第２ガイド体６が支持軸４に対して螺退する方向に回転するのを阻止するようにしている。
【００２７】
第１ガイド体５は、円板状のガイド板５１と、一対のガイド止め板５２と、当て板５３とを備え、ガイド板５１には、支持軸４を遊挿するための貫通孔５４とビス５８の挿通孔５５とを形成し、このガイド板５１の外側面に一対のガイド止め板５２を、ガイド板５１の軸心を中心とした対称位置に装着するようにしている。
【００２８】
また各ガイド止め板５２には、被嵌合部としての嵌合溝４１に嵌合可能な嵌合部を構成する円弧状の嵌合突片５６と長孔５７とを形成している。そして図６に示すように、このガイド止め板５２を第１ガイド体５の外側面に重ね合わせて、第１ガイド体５の内面側から、この第１ガイド体５に設けたビス挿通孔５５及びガイド止め板５２に設けた長孔５７にビス５８を挿通して、その挿通端部を、ガイド止め板５２の外側側面にあてがった当て板５３のねじ孔に螺締することで、ガイド止め板５２をガイド板５１に固定すると共に、ビス５８を螺緩することで、ガイド止め板５２を第１ガイド体５の半径方向にスライド可能として、嵌合突片５６がガイド板５１の貫通孔５４に対して出退するようにしている。
【００２９】
ガイド止め板５２の嵌合突片５６は、周方向に９０度にわたって広がっている。
【００３０】
また、第２ガイド体６は、図７にも示すように、中央に支持軸４を遊挿するための貫通孔６１ａを設けた円板状のガイド板６１と、このガイド板６１の外側面に組みつけられて後記する３個のラチェット爪７１・７２・７３を内装するリング状のケーシング６２と、このケーシング６２に対して回動可能に組み付けられる操作部６３とを備えている。
【００３１】
ケーシング６２は、図８にも示すように、リング状の側壁６２ａとこの側壁６２ａの内周及び外周にそれぞれ設けられた筒状内周壁６２ｂ及び筒状外周壁６２ｃとを備え、その内部に３個のラチェット爪７１・７２・７３を、側壁６２ａの内面に設けた枢軸６２ｄを支点にして揺動可能に設けると共に、このラチェット爪７１・７２・７３と筒状外周壁６２ｃとの間にリターンスプリング６２ｅを介装して、このスプリング６２ｅのばね力により、ラチェット爪７１・７２・７３をその爪部７１ａ・７２ａ・７３ａが筒状内周壁６２ｂに設けた開口６２ｆよりケーシング６２外に突出する方向に付勢させるようにしている。
【００３２】
操作部６３は、前述の位置調整機構Ｎを構成するものであって、図７及び図８に示すように、ケーシング６２における側壁６２ａの外側面に対向するリング状の側壁６３ａと、ケーシング６２における筒状外周壁６２ｃの外周面に沿う筒状ガイド壁６３ｂと、筒状ガイド壁６３ｂの外周面から径方向外方に延びる一対の操作杆６３ｃとを備えている。
【００３３】
そして側壁６３ａには、図７に示すように、ラチェット爪７１・７２・７３の側面に突設したガイドピン７１ｂ・７２ｂ・７３ｂが係合するガイド孔６３ｄを形成して、操作部６３のケーシング６２に対する回動操作に伴い、ガイド孔６３ｄによるガイドピン７１ｂ・７２ｂ・７３ｂの案内で、ラチェット爪７１・７２・７３の爪部７１ａ・７２ａ・７３ａをケーシング６２内またはケーシング６２外に移動させるようにしている。
【００３４】
また図に示す実施形態では、図８に示すように、ケーシング６２の側壁６２ａに長孔６２ｇを開設すると共に、操作部６３の側壁６３ａの内側面に、前記長孔６２ｇに嵌合するボス６３ｅを突設し、ボス６３ｅとケーシング６２の側壁６２ａとの間にコイルスプリング６３ｆを掛け渡し、このスプリング６３ｆのばね力により、操作部６３をケーシング６２に対して回動させて、ラチェット爪７１・７２・７３の爪部７１ａ・７２ａ・７３ａをケーシング６２外に突出させるようにしている。
【００３５】
尚、図中６２ｈは、ケーシング６２における側壁６２ａに形成したガイドピン７１ｂ・７２ｂ・７３ｂのガイド孔である。
【００３６】
また各ラチェット爪７１・７２・７３の爪部７１ａ・７２ａ・７３ａの先端には、ガイド溝４２に係合可能な係合部としての係合片７１ｃ・７２ｃ・７３ｃを突設しているのであって、これら係合片７１ｃ・７２ｃ・７３ｃは、１ピッチ間のガイド溝４２、換言すれば、ガイド溝４２の１周内においてそれぞれ嵌合可能としている。
【００３７】
またラチェット爪７１には、前述の係合片７１ｃに加え、図１２にも示すように、ガイド溝４２における前記係合片７１ｃが嵌合する部位から１ピッチ後方にずれた部位のガイド溝４２に係合可能な補助係合片７１ｄを更に突設している。
【００３８】
次に以上のリールの使用方法を説明する。
【００３９】
まずセットする印画紙巻Ｐの幅寸法に合わせて、第１ガイド体５を構成するガイド止め板５２の嵌合突片５６を所定の嵌合溝４１に嵌合させることで、第１ガイド体５を支持軸４に取り付けるのであって、例えば１１７ミリ幅の印画紙巻Ｐをセットする場合には、１１７ミリ用の嵌合溝４１ａにガイド止め板５２の嵌合突片５６を嵌合させるのであり、１２０ミリ幅の印画紙巻Ｐをセットする場合には、第１ガイド体５を、１１７ミリ幅の印画紙巻Ｐをセットする場合での状態から、支持軸４に対して周方向に９０度回転させて、ガイド止め体５２の嵌合突起５６を１２０ミリ用の嵌合溝４１ｃに嵌合させるのである。
【００４０】
斯くして幅寸法が非常に近接している例えば１１４ミリ、１１７ミリ、１２０ミリの３種類の印画紙巻Ｐのいずれをセットする場合にあっても、従来のように、ガイド止め板をガイド板から取り外してその取付姿勢を変更するなどの作業を行なう必要がなく、それだけ、第１ガイド体５の支持軸４への取り付け作業が迅速に行なえるのである。
【００４１】
以上のごとく第１ガイド体５を支持軸４に取り付けたならば、次に印画紙巻Ｐを支持軸４に挿通支持した上で、第２ガイド体６を支持軸４の長さ方向他端側に取り付けるのである。
【００４２】
第２ガイド体６の支持軸４への取り付けは、先ず、操作杆６３ｃを介して操作部６３をケーシング６２に対して回動させて、ラチェット爪７１・７２・７３をリターンスプリング６２ｅに抗する方向に揺動させることで、爪部７１ａ・７２ａ・７３ａをケーシング６２内に退入させ、かかる状態を保持したままで、第２ガイド体６を支持軸４の長さ方向他端部に嵌め込んで印画紙巻Ｐの端面近くまで挿入する。
【００４３】
そして操作杆６３ｃから手を離して、操作部６３をスプリング６３ｆのバネ力により逆方向に回動させて、各係合片７１ｃ・７２ｃ・７３ｃ及び補助係合片７１ｄをガイド溝４２に係合させた上で、第２ガイド体６を支持軸４に対して回動させて、ガイド板６１の内側面が印画紙巻Ｐの端面に接触するまでこの第２ガイド体６を螺進させるのである。
【００４４】
斯くして第２ガイド体６は、ラチェット機構７の作用により支持軸４に対して螺退する方向への回動は阻止されているので、印画紙巻Ｐは、その幅方向両端が両ガイド体５・６で確実に受け止められて支持軸４に対し軸方向に不用意にガタつくようなことなく保持されるのである。
【００４５】
従って以上のリールにあっては、印画紙巻Ｐが支持軸４に対して不用意に回転するのを規制する規制機構を別途設ける必要もない。
【００４６】
また以上の第２ガイド体６では、操作部６３の操作により、支持軸４の所望の位置まで瞬時に移動させることが出来るので、例えば支持軸４に支持する印画紙巻Ｐの幅が狭いものでも、第２ガイド体６を即座に印画紙巻Ｐの近くまで持って行くことが出来、作業性が良い。
【００４７】
以上の実施形態では、支持軸４に形成する被嵌合部として嵌合溝４１を形成したが、これに限定されるものではなく、支持軸４の外周面に突出する突条から形成してもよい。
【００４８】
また以上の実施形態では、印画紙巻Ｐをセットするリールに本発明を適用するようにしたが、ロール状に巻かれたフィルムをセットするリールに本発明を適用してもよい。
【００４９】
【発明の効果】
以上のごとく請求項１に記載の発明によれば、ロール状に巻かれた感光材料を支持する支持軸と、この支持軸に着脱可能な一対のガイド体とを備え、ガイド体に設けた嵌合部を、支持軸の外周面に複数形成した周方向に延びる被嵌合部に嵌合させることで、ガイド体を支持軸に取り付け、このガイド体により、感光材料の幅方向両端を受け止めて支持軸に対する感光材料の支持位置を規制するようにした感光材料用リールにおいて、前記被嵌合部中の任意の被嵌合部とその被嵌合部に隣接する被嵌合部を、支持軸の外周面におけるその全周の一部で、且つ支持軸の軸心を中心とした対称位置に形成すると共に、任意の被嵌合部に隣接する被嵌合部を前記任意の被嵌合部に対し周方向に変位した位置に形成して、任意の被嵌合部に隣接する被嵌合部が前記任意の被嵌合部に対して支持軸の軸方向で対向しないようにしたことにより、幅寸法が非常に近接している複数種類のロール状に巻かれた感光材料のいずれをセットする場合にあっても、従来のように、ガイド体に対する嵌合部の配置位置を変更しなくとも、ガイド体を支持軸の所定位置に簡単且つ容易に取り付けることが出来るに至ったのである。
【図面の簡単な説明】
【図１】本発明にかかるリールを搭載する写真処理装置の説明図。
【図２】本発明にかかるリールの概略正面図。
【図３】同、要部の拡大斜視図。
【図４】支持軸の要部の正面図。
【図５】支持軸の拡大側面図。
【図６】第１ガイド体の外側面図。
【図７】第２ガイド体の外側面図。
【図８】ガイド板を取り外した状態の第２ガイド体の内側面図。
【図９】ラチェット爪７１の斜視図。
【図１０】ラチェット爪７２の斜視図。
【図１１】支持軸の要部を展開して示す説明図。
【図１２】支持軸の要部を展開して示す説明図。
【符号の説明】
３      リール
４      支持軸
４１    被嵌合部（嵌合溝）
５      第１ガイド体
５６    嵌合突片
６      第２ガイド体
Ｐ      印画紙巻
【図１】
0003605701.tif 000002
【図２】
0003605701.tif 000003
【図３】
0003605701.tif 000004
【図４】
0003605701.tif 000005
【図５】
0003605701.tif 000006
【図６】
0003605701.tif 000007
【図７】
0003605701.tif 000008
【図８】
0003605701.tif 000009
【図９】
0003605701.tif 000010
【図１０】
0003605701.tif 000011
【図１１】
0003605701.tif 000012
【図１２】
0003605701.tif 000013